(57)【要約】  登録済みのビデオチャンネル、具体的にはセットトップボックスまたは他のテレビ受信機によって受信されるテレビチャンネルに関連付けられたイベントメッセージを、ユーザの場所で受信し表示する方法および装置。本原理に従うと、ユーザは、登録リストに含むべき１つまたは複数のチャンネルを選択し、登録リストは、メッセージサーバに送信される。スマートフォン、タブレットなどの第２の画面装置が、登録リストにはあるが、現在は、受信、処理および表示されていないテレビチャンネルに関連付けられたイベントメッセージを受信し表示する。イベントメッセージは、例えば、制作会社が作成した、または、ソーシャルネットワークを介した、番組の詳細やコメントを含んでもよい。このように、ユーザは、ユーザ以外の人の視聴を妨げることなく、関心があると思われる他のチャンネルを独りでモニタすることができる。
2016506166.tif 000002
【特許請求の範囲】
【請求項１】
１つまたは複数のテレビチャンネルに関連付けられたイベントメッセージの受信を登録するステップと、
受信および表示中の現在のテレビチャンネルを決定するステップと、
前記現在のテレビチャンネル以外の登録済みのテレビチャンネルに関連付けられたイベントメッセージであって、前記現在のテレビチャンネルを表示する画面以外のディスプレイ画面に表示するイベントメッセージを、受信し表示するステップと、
を含む、イベントメッセージを表示する方法。
【請求項２】
前記受信し表示するステップは、前記テレビチャンネルに関連付けられた送信チャンネルとは別の送信チャンネルを介して、前記イベントメッセージを受信するステップを含む、請求項１に記載の方法。
【請求項３】
前記登録するステップは、各登録リストが登録済みのテレビチャンネルのリストを含む複数の登録リストから１つを選択することを含む、請求項１に記載の方法。
【請求項４】
前記登録するステップは、ソーシャルネットワークにおいて友人が推薦する登録済みのテレビチャンネルのリストを含む登録リストを受諾することを含む、請求項１に記載の方法。
【請求項５】
前記登録するステップは、登録可能なテレビチャンネルのリストを表示することと、前記可能なテレビチャンネルのうちの選択したチャンネルのユーザ入力を受信することと、前記可能なテレビチャンネルのうちの前記ユーザが選択したチャンネルをメッセージサーバに送信することと、を含む、請求項１に記載の方法。
【請求項６】
前記決定するステップは、前記現在のテレビチャンネルのインジケーションをテレビ受信機から受信することを含む、請求項５に記載の方法。
【請求項７】
前記決定するステップは、前記現在のテレビチャンネルの番組のオーディオ署名を用いて、前記現在のテレビチャンネルを決定することを含む、請求項５に記載の方法。
【請求項８】
前記受信し表示するステップは、前記現在のテレビチャンネルで送信されている現在の番組イベントを示すリアルタイムのイベントメッセージを受信し表示することを含む、請求項５に記載の方法。
【請求項９】
前記イベントメッセージを受信、表示するステップは、スマートフォン、タブレットコンピュータおよびリモートコントロール装置のうちの１つで行われる、請求項５に記載の方法。
【請求項１０】
前記現在のテレビチャンネル以外の前記登録済みのテレビチャンネルの選択を可能にするユーザ入力表示を提供することと、これらのチャンネルのうちの１つを選択すると、テレビ受信機に前記選択したテレビチャンネルを受信させ処理させる制御信号を送信することと、をさらに含む、請求項５に記載の方法。
【請求項１１】
前記受信し表示するステップは、前記テレビチャンネルに関連付けられた放送局、イベントメッセージ作成エンティティおよびソーシャルネットワークの１つから前記イベントメッセージを受信することを含む、請求項５に記載の方法。
【請求項１２】
イベントメッセージを表示する装置であって、
別のテレビ受信機およびディスプレイによって受信され表示されている現在のテレビチャンネルを決定する手段と、
１つまたは複数のテレビチャンネルに関連付けられたイベントメッセージの受信を登録する手段と、
前記現在のテレビチャンネル以外の登録済みのテレビチャンネルに関連付けられたイベントメッセージを受信し表示する手段と、
を含む装置。
【請求項１３】
前記受信し表示する手段は、前記テレビチャンネルに関連付けられた送信チャンネルとは別の送信チャンネルを介して前記イベントメッセージを受信する、請求項１２に記載の装置。
【請求項１４】
前記登録する手段は、各登録リストが登録済みのテレビチャンネルのリストを含む複数の登録リストを表示し、前記複数の登録リストの１つのユーザ選択を受信する手段を含む、請求項１２に記載の装置。
【請求項１５】
前記登録する手段は、ソーシャルネットワークで友人が推薦した登録済みのテレビチャンネルのリストを含む登録リストを受諾する手段を含む、請求項１２に記載の装置。
【請求項１６】
前記登録する手段は、登録可能なテレビチャンネルのリストを表示し、前記可能なテレビチャンネルのうち選択したチャンネルのユーザ入力を受信し、前記可能なテレビチャンネルのうち前記ユーザが選択したチャンネルをメッセージサーバに送信する手段を含む、請求項１２に記載の装置。 
【請求項１７】
前記決定する手段は、前記現在のテレビチャンネルのインジケーションをテレビ受信機から受信する、請求項１６に記載の装置。
【請求項１８】
前記決定する手段は、前記現在のテレビチャンネルの番組のオーディオ署名を用いて前記現在のテレビチャンネルを決定することによって、前記現在のテレビチャンネルを決定する、請求項１６に記載の装置。
【請求項１９】
前記装置は、スマートフォン、タブレットコンピュータおよびリモートコントロール装置の１つを含む、請求項１６に記載の装置。
【請求項２０】
前記受信手段は、前記テレビチャンネルに関連付けられた放送局、イベントメッセージ作成エンティティおよびソーシャルネットワークの１つから前記イベントメッセージを受信する手段を含む、請求項１６に記載の装置。
【発明の詳細な説明】
【技術分野】
【０００１】
本原理は、番組チャンネルに関するイベントメッセージを受信し表示する装置および方法に関し、より詳細には、テレビ受信機およびディスプレイ装置とは別のそれらとは異なる第２のディスプレイ装置で、テレビチャンネルに関連するイベントメッセージを受信し表示する装置および方法に関する。
【背景技術】
【０００２】
現在、テレビチャンネルの視聴者に、別のチャンネルで生じている関心のありそうなイベントを通知することができるシステムがある。イベントメッセージは、テレビチャンネルを受信しているのと同じネットワークを介して受信され、現在選択しているチャンネルが表示されているのと同じディスプレイ装置に表示される。しかし、これは、ユーザや、選択したチャンネルを見ている他の人にとって不便な場合がある。その番組を見ているユーザ以外の人は、このようなイベントメッセージの受信に関心がないかもしれず、また、ユーザはイベントメッセージを独りで見たいかもしれない。従って、ユーザにイベントメッセージを提供する方法の改良が求められている。
【発明の概要】
【０００３】
一実装形態において、本原理は、１つまたは複数のテレビチャンネルに関連付けられたイベントメッセージの受信を登録するステップと、受信および処理中の現在のテレビチャンネルを決定するステップと、現在のテレビチャンネル以外の登録済みのテレビチャンネルに関連付けられたイベントメッセージを受信し表示するステップと、を含み、そのイベントメッセージは、上記現在のテレビチャンネルを表示する画面とは別のディスプレイ画面に表示される、イベントメッセージを表示する方法を提供する。イベントメッセージは、テレビチャンネルと関連付けられた送信チャンネルとは別の送信チャンネルを介して受信されてもよい。受信中の現在のテレビチャンネルは、テレビ受信機からディスプレイ画面に送信されるＩＤによって決定されてもよく、オーディオフィンガプリンティングを用いて決定してもよい。受信および処理中の現在のチャンネル以外の登録済みテレビチャンネルに関連するイベントメッセージを第２のディスプレイ画面に表示することによって、ユーザは、番組の表示とは別にイベントメッセージを受信および視聴することができる。現在のチャンネルを新しく選択したチャンネルに変更すると、システムは、現在のイベントメッセージの表示が、新しく選択したチャンネルに基づくように、イベントメッセージのリストを変更する、すなわち、システムは、新しく選択したチャンネル以外の登録済みのチャンネルに関連付けられたイベントメッセージを表示する。
【０００４】
例えば、各登録リストが登録済みのテレビチャンネルのリストを含む、複数の登録リストの１つをユーザが選択できるようにする、または、ソーシャルネットワークで、友人が推薦した登録済みテレビチャンネルのリストを含む登録リストを受諾する、または、登録可能なテレビチャンネルのリストを表示し、その可能なテレビチャンネルのうち選択したチャンネルのユーザ入力を受信し、その選択したチャンネルをメッセージサーバに送信するなど、チャンネルセットの登録をするための様々な実装形態を記載する。イベントメッセージの表示は、スマートフォン、タブレットコンピュータ、および、リモートコントロール装置の１つで行ってもよい。
【０００５】
別の実装形態において、本原理は、上記方法のステップを行う装置および／またはシステムを提供する。１つまたは複数の実装形態の詳細は、添付の図面および以下に記載する。１つの特定の方法で記載するが、実装形態は、様々な方法で構成されても、具体化されてもよいことは明らかである。例えば、実装形態は、方法として行ってもよく、例えば、動作のセットを実行するように構成された装置や、動作のセットを実行する命令を記憶する装置等の装置として具体化されてもよく、または、信号として具体化されてもよい。他の態様および特徴は、添付の図面および請求項と共に、以下の詳細な説明を検討することにより明らかになろう。
【図面の簡単な説明】
【０００６】
【図１】一実施形態に従うビデオコンテンツ、オーディオコンテンツおよびイベントメッセージの家庭への配信の概略を示すシステムの図である。
【図２】一実施形態に従う典型的なセットトップボックス受信機をさらに詳細に示したシステムの図である。
【図３】一実施形態に従うタッチパネル制御装置を表す図である。
【図４】一実施形態に従うイベントメッセージ登録をする典型的なステップを表すフロー図である。
【図５】一実施形態に従うイベントメッセージを受信し表示する典型的なステップを示すフロー図である。
【発明を実施するための形態】
【０００７】
本原理により、ユーザが登録リストに入れるために選択したテレビチャンネルに関連付けられたイベントメッセージを、ユーザが、リアルタイムで、独りでモニタできる。具体的には、第２の画面装置を用いて、現在選択されている登録済みテレビチャンネル以外の、登録済みテレビチャンネルに関連付けられたイベントメッセージを受信し表示する。このように、ユーザは、関心があるが、本原理によらなければ、直接モニタできないテレビチャンネルに関連付けられたイベントメッセージをリアルタイムでモニタすることができる。さらに、本原理によって、ユーザは、第２の画面装置を通して、例えば、興味のあるイベントメッセージを見て、登録リストから新しいチャンネルを選択することができる。ここで、イベントメッセージの表示は、新しく選択されたテレビチャンネルに関連付けられたイベントメッセージが取り除かれて、以前選択していたテレビチャンネルに関連付けられたイベントメッセージが追加されるように自動的に調整される。第２の画面装置とメッセージサーバ間の送信は、テレビチャンネルを送信している送信ネットワークとは異なる独立した通信ネットワークを介して行われる。これによって、イベントメッセージは、テレビチャンネルソースとは異なる独立したソースに記憶され、そこから送信されるという利点がある。
【０００８】
イベントメッセージは、番組がリアルタイムで進行している時に、例えば、テレビチャンネルで送信されている番組のコンテンツの詳細を含んでもよい。イベントメッセージは、ユーザの指定した友人がソーシャルネットワークに投稿した番組に関するコメントを含んでもよい。イベントメッセージは、ローカル配信ネットワーク会社またはコンテンツ製作者とは無関係の会社、またはそれらと提携した会社によって、生成または集約されてもよい。イベントメッセージは、第２の画面装置のアプリケーションと通信するように構成されたメッセージサーバに記憶または集約される。
【０００９】
要約すると、本原理に従った方法は、次のように機能する。ユーザがＴＶセットおよびＳＴＢをオンし、チャンネルを選択してＴＶ番組を見る。ユーザは、ＴＶ番組のイベントメッセージの登録をして、イベントメッセージを受信したいと思うと、第２の画面装置、例えば、タブレット上で登録に対応するイベントメッセージアプリケーションを起動する。イベントメッセージアプリケーションは、自動的に、現在視聴中のＴＶチャンネル名を検出し、ＴＶチャンネルについてのイベントメッセージがあるか否かを知るために、そのＴＶチャンネル名をメッセージサーバに転送する。登録可能なＴＶチャンネルに関連するイベントメッセージがあり、メッセージサーバのユーザに関する登録レコードによるとユーザがそのメッセージの登録をしていない場合、アプリケーションは、アプリケーションのインタフェースに「このチャンネルのイベントメッセージの登録をする」のボタンをポップアップさせて、視聴者がその特定のチャンネルのイベントメッセージを登録することができるようにする。それに対して、ユーザに関する登録レコードによって、ユーザがそのＴＶチャンネルのイベントメッセージの登録を行っていることを検出すると、アプリケーションは、アプリケーションのインタフェースに「このチャンネルのイベントメッセージの登録を取り消す」ボタンをポップアップさせて、ユーザが、そのチャンネルに関連するイベントメッセージの登録を取り消すことができるようにする。
【００１０】
そうすると、視聴者は、タブレットのアプリケーションのユーザインタフェース上の「このチャンネルのイベントメッセージの登録をする」ボタンをクリックすることによって、現在、視聴中のチャンネルに関連するイベントメッセージの登録をしてもよく、または、タブレットのアプリケーションのユーザインタフェース上の「このチャンネルのイベントメッセージの登録を取り消す」ボタンをクリックすることによって、現在視聴中のチャンネルのイベントメッセージの登録を取り消してもよい。
【００１１】
イベントメッセージアプリケーションは、開始されると、例えば、ＩＰネットワークを介して、メッセージサーバとの接続を確立し、ユーザがいずれかのＴＶチャンネルに関してイベントメッセージの登録をしているか否かを、メッセージサーバの登録レコードデータベースに問い合わせる。ユーザがアクティブな登録を有していることをレコードが示す場合、メッセージサーバは、現在視聴中のチャンネルに関するイベントメッセージの登録の有無にかかわらず、そのチャンネルのイベントメッセージ以外の、これら登録済みのＴＶチャンネルに関する全てのイベントメッセージを、第２の画面装置のイベントメッセージアプリケーションに送信し始め、第２の画面装置は、そのアプリケーションのユーザインタフェースに、下記の表１に示す例示のフォーマットで、これらのメッセージを示す。（ユーザがＴＶチャンネル１、２、３に関するイベントメッセージの登録をしており、現在、視聴中のチャンネルがＴＶチャンネル１、２、３でない場合） 
【００１２】
【表１】
2016506166.tif 000003
【００１３】
その後、視聴者は、特定のＴＶチャンネルに関するイベントメッセージだけを見るために、そのＴＶチャンネル名をクリックしてもよい。例えば、視聴者が表２に示すインタフェースで「ＴＶチャンネル名１」をクリックすると、イベントメッセージアプリケーションは、下記のイベントメッセージを示す。
【００１４】
【表２】
2016506166.tif 000004
【００１５】
そして、ユーザが表１に示すインタフェースで「ＴＶチャンネル名１」ボタンを再度クリックすると、アプリケーションは、外部の赤外線インタフェースまたは無線ネットワーク接続によって、ＴＶチャンネル１に切り替えるように、ＳＴＢに指示する。現在視聴中のチャンネルがＴＶチャンネル１に成功裏に切り替わったことをイベントメッセージアプリケーションが検知するとすぐに、表３のように、ＴＶチャンネル１に関するメッセージ以外の全ての登録済みのイベントメッセージの表示を開始する。（ユーザがＴＶチャンネル１、２および３のイベントメッセージの登録をしており、現在視聴中のチャンネルがＴＶチャンネル１の場合）
【００１６】
【表３】
2016506166.tif 000005
【００１７】
図１は、ホームまたはエンドユーザにコンテンツを配信するシステム１００の例示の実施形態のブロック図を示す。コンテンツは、映画のスタジオや制作ソースなどのコンテンツソース１０２から生じる。コンテンツは、２つの形式のうちの少なくとも１つで顧客の場所にあるセットトップボックス等の受信装置１０８に供給されてもよい。形式の１つは、ブロードキャスト形式のコンテンツであってもよい。ブロードキャストコンテンツは、ブロードキャストアフィリエイトマネージャ１０４に供給され、ブロードキャストアフィリエイトマネージャ１０４は、典型的には、ＡＢＣ（Ａｍｅｒｉｃａｎ  Ｂｒｏａｄｃａｓｔｉｎｇ  Ｃｏｍｐａｎｙ）、ＮＢＣ（Ｎａｔｉｏｎａｌ  Ｂｒｏａｄｃａｓｔｉｎｇ  Ｃｏｍｐａｎｙ）等の全国的な放送サービスである。ブロードキャストアフィリエイトマネージャは、コンテンツを収集し記憶してもよく、配信ネットワーク１０６を介したコンテンツの配信をスケジュールしてもよい。配信ネットワーク１０６は、全国的なセンターから１つまたは複数の地方またはローカルのセンターへの衛星リンク送信を含んでもよい。また、配信ネットワーク１０６は、電波放送、衛星放送、または、ケーブル放送など、ローカル配信システムを用いた、コンテンツのローカル配信を含んでもよい。ローカルに配信されたコンテンツは、顧客の家庭にあるセットトップボックス等の受信装置１０８に供給され、そこで、ユーザがコンテンツを検索し選択することができる。コンテンツは、高度テレビ・システムズ委員会（ＡＴＳＣ：Ａｄｖａｎｃｅｄ  Ｔｅｌｅｖｉｓｉｏｎ  Ｓｙｓｔｅｍｓ  Ｃｏｍｍｉｔｔｅｅ）が規定した形式等の形式の送信チャンネル内で、家庭に配信される。受信装置は、様々なテレビチャンネルで送信された番組を検出、取得するために、ローカル放送局が送信したプログラムシステム情報プロトコル（ＰＳＩＰ：Ｐｒｏｇｒａｍ  Ｓｙｓｔｅｍ  Ｉｎｆｏｒｍａｔｉｏｎ  Ｐｒｏｔｏｃｏｌ）等のシステム情報を検出するように構成される。あるいは、例えばチャンネルを取得するための情報は、ローカル配信システムが定義し送信したシステム情報によって規定されてもよい。受信装置１０８は、多くの形式をとることができ、セットトップボックス／デジタルビデオレコーダ（ＤＶＲ）、ゲートウェイ、モデム等として具体化されてもよいことが理解される。さらに、受信装置１０８は、ホームネットワークのクライアント装置またはピア装置として構成される追加の装置を含む、ホームネットワークシステムのエントリポイントまたはゲートウェイとして機能してもよい。
【００１８】
テレビチャンネルを送信しおよび受信するシステムに加えて、本原理は、テレビチャンネルで送信される番組に関するイベント情報の送信および受信をさらに提供してもよい。ここで、イベント情報は、イベントサーバ１２０内で生成、収集または集約され、配信ネットワーク１１８を介して受信装置（タッチスクリーンディスプレイ／制御装置）１１６に送信される。受信装置１１６は、スマートフォン、タブレットコンピュータおよび第２の画面のリモートコントロール装置を含むが、それらに限定されない、様々な形式のタッチスクリーンディスプレイおよび制御装置のうちの１つを備えてもよい。
【００１９】
受信装置１１６は、受信装置１０８および／またはディスプレイ装置１１４に対するユーザ制御を提供するように適合されてもよい。また、受信装置１１６は、ビデオコンテツを表示することができてもよい。ビデオコンテンツは、ユーザインタフェースエントリなどのグラフィックエントリであってもよく、ディスプレイ装置１１４に配信されるビデオコンテンツの一部であってもよい。受信装置１１６は、赤外線（ＩＲ）または無線周波数（ＲＦ）通信等の任意の周知の信号送信システムを用いて、受信装置１０８とのインタフェースをとってもよく、かつ、赤外線通信協会（ＩＲＤＡ：ｉｎｆｒａ−ｒｅｄ  ｄａｔａ  ａｓｓｏｃｉａｔｉｏｎ）規格、Ｗｉ−Ｆｉ、Ｂｌｕｅｔｏｏｔｈ（登録商標）等の標準プロトコル、または、任意の他の独自のプロトコルを含んでもよい。一部の実施形態においては、受信装置１１６は、配信ネットワーク１、２と直接インタフェースをとることができる。受信装置１１６の動作に関しては、以下に詳しく述べる。
【００２０】
次に、受信装置２００の実施形態を示すブロック図である図２を参照する。受信装置２００は、図１に記載の受信装置と同様に動作することができ、ゲートウェイ装置、モデム、セットトップボックスまたは他の同様の通信装置の一部として含まれてもよい。また、図２の受信装置２００は、オーディオ装置またはディスプレイ装置を含む他のシステムに組み込まれてもよい。どちらの場合でも、システムの完全な動作に必要な幾つかのコンポーネントは、当分野では周知なので、簡潔にするために図示していない。
【００２１】
図２の受信装置２００において、コンテンツは、入力信号受信部２０２によって受信される。入力信号受信部２０２は、電波、ケーブル、衛星、イーサネット（登録商標）、ファイバ、および、電話線などのネットワークを含む幾つかの可能なネットワークの１つを介して提供される信号を受信、復調、復号するために用いられる幾つかの既知の受信回路の１つであってもよい。制御インタフェースまたはタッチパネルインタフェース２２２を通して提供されるユーザ入力に基づいて、入力信号受信部２０２は所望の入力信号を選択し、読み出すことができる。タッチパネルインタフェース２２２は、タッチスクリーンデバイスのためのインタフェースを含んでもよい。タッチパネルインタフェース２２２は、また、携帯電話、タブレット、マウスまたはハイエンドリモコン等とインタフェースをとるように適合されてもよい。
【００２２】
復号された出力信号は、入力ストリームプロセッサ２０４に提供される。入力ストリームプロセッサ２０４は、最後の信号選択と処理を行い、この処理はコンテンツストリームのオーディオコンテンツからのビデオコンテンツの分離を含む。オーディオコンテンツは、圧縮デジタル信号等の受信フォーマットからアナログ波形信号に変換するために、オーディオプロセッサ２０６に供給される。アナログ波形信号は、オーディオインタフェース２０８に供給され、さらに、ディスプレイ装置またはオーディオ増幅器に供給される。あるいは、オーディオインタフェース２０８は、高精細度マルチメディアインタフェース（ＨＤＭＩ：Ｈｉｇｈ−Ｄｅｆｉｎｉｔｉｏｎ  Ｍｕｌｔｉｍｅｄｉａ  Ｉｎｔｅｒｆａｃｅ）ケーブル、または、ソニー／フィリップスデジタルインターコネクトフォーマット（ＳＰＤＩＦ：Ｓｏｎｙ／Ｐｈｉｌｉｐｓ  Ｄｉｇｉｔａｌ  Ｉｎｔｅｒｃｏｎｎｅｃｔ  Ｆｏｒｍａｔ）などの別のオーディオインタフェースを用いて、デジタル信号をオーディオ出力装置またはディスプレイ装置に供給してもよい。オーディオインタフェースは、１つまたは複数の組のスピーカを駆動するための増幅器を含んでもよい。オーディオプロセッサ２０６は、オーディオ信号を記憶するために必要な変換も行う。
【００２３】
入力ストリームプロセッサ２０４から出力されたビデオは、ビデオプロセッサ２１０に供給される。ビデオ信号は、幾つかのフォーマットの１つとすることができる。ビデオプロセッサ２１０は、入力信号フォーマットに基づいて、必要に応じてビデオコンテンツの変換を行う。また、ビデオプロセッサ２１０は、ビデオ信号を記憶するために必要な変換も行う。
【００２４】
記憶装置２１２は、入力部で受信したオーディオコンテンツおよびビデオコンテンツを記憶する。記憶装置２１２は、コントローラ２１４の制御の下、および、ユーザインタフェース２１６および／またはタッチパネルインタフェース２２２から受信した、例えば、早送り（ＦＦ）や巻き戻し（Ｒｅｗ）等のナビゲーション命令などのコマンドに基づいて、その後のコンテンツの読み出しおよび再生を可能にする。記憶装置２１２は、ハードディスクドライブ、スタティックＲＡＭ（ＳＲＡＭ）またはダイナミックＲＡＭ（ＤＲＡＭ）等の１つまたは複数の大容量集積電子メモリとすることができ、コンパクトディスク（ＣＤ）ドライブまたはデジタルビデオディスク（ＤＶＤ）ドライブ等の交換可能な光ディスク記憶システムであってもよい。
【００２５】
ビデオプロセッサ２１０からの変換されたビデオ信号は、入力部から、または記憶装置２１２からのいずれのものであっても、ディスプレイインタフェース２１８に供給される。ディスプレイインタフェース２１８は、さらに、上記の種類のディスプレイ装置に表示信号を供給する。ディスプレイインタフェース２１８は、赤緑青（ＲＧＢ）等のアナログ信号インタフェースであってもよく、ＨＤＭＩ（登録商標）等のデジタルインタフェースであってもよい。ディスプレイインタフェース２１８は、以下により詳しく述べるように、三次元グリッドで検索結果を表示する様々な画面を生成することが理解されよう。
【００２６】
コントローラ２１４は、入力ストリームプロセッサ２０２、オーディオプロセッサ２０６、ビデオプロセッサ２１０、記憶装置２１２、ユーザインタフェース２１６を含む、受信装置２００のコンポーネントの幾つかとバスを介して相互に接続される。コントローラ２１４は、入力ストリーム信号を、記憶装置への記憶、または表示のための信号に変換する変換プロセスを管理する。コントローラ２１４は、記憶されたコンテンツの読み出しおよび再生も管理する。さらに、以下に記載するように、コントローラ２１４は、コンテンツを、上記のように記憶されたものであっても、配信ネットワークを介して配信されたものであっても、検索し、コンテンツを表すグリッド表示を作成し調整する。
【００２７】
コントローラ２１４は、コントローラ２１４のための情報や命令コードを記憶するための制御メモリ２２０（例えば、ＲＡＭ、ＳＲＡＭ、ＤＲＡＭ、ＲＯＭ、プログラム可能ＲＯＭ（ＰＲＯＭ）、フラッシュメモリ、電気的にプログラム可能なＲＯＭ（ＥＰＲＯＭ）、電気的に消去可能なプログラム可能ＲＯＭ（ＥＥＰＲＯＭ）等を含む、揮発性または不揮発性メモリ）にさらに接続される。制御メモリ２２０は、コントローラ２１４のための命令を記憶してもよい。制御メモリは、コンテンツを含むグラフィック要素等の要素のデータベースも記憶してもよい。データベースは、グラフィック要素のパターンとして記憶されてもよい。あるいは、メモリは、識別またはグループ化された記憶場所にグラフィック要素を記憶し、アクセステーブルまたはロケーションテーブルを用いて、グラフィック要素に関連する情報の様々な部分の記憶場所を識別してもよい。グラフィック要素の記憶に関しては、以下にさらに詳しく記載する。さらに、制御メモリ２２０の実装は、単一のメモリ装置、あるいは、互いに通信可能に接続または連結されて共有または共通メモリを形成する複数のメモリ回路等の、幾つかの可能な実施形態を含んでもよい。さらに、メモリは、バス通信回路の一部分などの他の回路と共に、より大きな回路に含まれてもよい。
【００２８】
本原理のユーザインタフェースプロセスは、早送り、巻き戻し等の機能を示すのに用いることができる入力装置を採用する。これを可能にするために、タッチパネル装置３００は、図３に示すように、受信装置２００のユーザインタフェース２１６および／またはタッチパネルインタフェース２２２を介してインタフェースされてもよい。タッチパネル装置３００によって、手の動きまたはジェスチャに基づいて受信装置またはセットトップボックスを動作させることができ、アクションは、パネルを通してセットトップボックスまたは他の制御装置へのコマンドに変換される。一実施形態において、タッチパネル３００は、単にグリッド表示をナビゲートするナビゲーションツールとして機能してもよい。他の実施形態においては、タッチパネル３００は、さらに、コンテンツのグリッド表示を通してユーザがナビゲーションとより直接的に対話することを可能にするディスプレイ装置として機能する。いずれの場合でも、タッチパネル３００は、以下に記載の本原理に従って、登録をしたテレビチャンネルに関するイベントメッセージを表示する。タッチパネル装置は、作動ボタンまたは起動ボタンなどより便利な制御機能を含むリモートコントロール装置の一部として含まれてもよい。タッチパネル装置を用いると、ユーザは、登録リストに含まれたチャンネルを選択して、どのチャンネルに関連付けられたどのイベント情報を表示するかを決定でき、かつ、受信装置１０８が受信および処理中のチャンネルを変更することができる。タッチパネル３００は、少なくとも１つのカメラ要素を含むこともできる。一部の実施形態においては、タッチパネル３００は、マイクロフォンも含んでもよい。
【００２９】
図４は、登録のためのチャンネルのリストを選択する典型的なステップを示すフローチャートである。ステップ４１０で開始すると、システムは、最初に、ステップ４２０で、ユーザが利用可能なチャンネルを決定する。利用可能なチャンネルは、例えばユーザが、例えばローカルのケーブルテレビ会社または衛星テレビ会社に登録可能な、無線放送およびローカル配信システムなど、ユーザの場所に基づいて決定することができる。利用可能なテレビチャンネルのリストは、第２の画面装置、例えば、スマートフォンまたはタブレット装置で、記憶されたアプリケーションを実行することによって決定することができる。さらに、利用可能なチャンネルのリストは、受信装置が第２の画面装置にこの情報を送信するように構成されている場合、受信装置から受信することができる。
【００３０】
利用可能なチャンネルが決定されると、ステップ４３０で第２の画面装置にリストが表示される。リストは簡単な表形式でもよい。リストは、ユーザが利用可能な全てのテレビチャンネルを含んでもよく、ユーザが既にどのチャンネルに登録しているかを示してもよい。それは、登録済みのチャンネルを別の色でリストすることによって、または、チャンネル識別の隣に登録を示すアイコンを示すことによって、インジケーションを提供してもよい。あるいは、リストは、ユーザが既に登録しているチャンネルを除いてもよい。さらに、リストは、例えば、チャンネル名の隣に「登録」ボタンを提供することによって、リストのそのチャンネルにユーザが登録するオプションを提供してもよい。
【００３１】
ステップ４４０でユーザがリストの特定のチャンネルを選択したとアプリケーションが決定した場合、ステップ４５０で、アプリケーションは、そのチャンネルの識別子を、第２の画面装置をメッセージサーバに接続する通信ネットワークを介してメッセージサーバに送信する。ステップ４４０でユーザが、例えば、所定の時間、入力をせずに、いかなるチャンネルも追加のチャンネルも登録のために選択しない場合、方法は、ステップ４７０で停止して、適切なイベントメッセージの提供に戻る。
【００３２】
ステップ４５０に続いて、ユーザは、ステップ４６０で、登録のために追加のチャンネルを選択するためのオプションを選択してもよい。ステップ４４０および４５０におけるチャンネル選択およびチャンネルＩＤの送信がユーザに確認されると、ユーザは、追加のチャンネルを登録するオプションを提供されてもよい。ユーザが、登録のために追加のチャンネルを選択するオプションを選択すると、アプリケーションは、ステップ４３０に戻り、ユーザが選択可能なチャンネルのリストを提供する。このように、アプリケーションが選択可能なチャンネルを決定し、ユーザは、イベントメッセージを受信するチャンネルを選択することができる。
【００３３】
図５は、ユーザが登録をしたチャンネルのイベントメッセージを表示するための典型的なステップを示すフローチャートである。ステップ５００で開始すると、ステップ５２０で、アプリケーションは、最初に、メインディスプレイ装置に現在、どのチャンネルを受信、処理および表示しているかを決定する。第２の画面装置は、例えば、表示中のテレビ番組のオーディオフィンガプリントを解析することによって、表示を選択したチャンネルのユーザ入力を受信することによって、または、第２の画面装置を用いて行われたチャンネル選択の履歴の記録に基づいて、現在のチャンネルを決定してもよい。あるいは、第２の画面装置は、テレビ受信機が選択したチャンネルを示す情報を第２の画面装置に送信するように構成されている場合、選択したチャンネルを示す情報をテレビ受信機から直接受信してもよい。ステップ５２０で、第２の画面装置は、現在選択されているテレビチャンネルを決定すると、現在選択しているテレビチャンネルに関連するＩＤをメッセージサーバに送信する。
【００３４】
第２の画面装置は、次に、イベントメッセージを受信し、選択されていない登録済みのテレビチャンネルに関連するイベントメッセージを表示する。最初に、第２の画面装置は、ステップ５３０で、選択されていない登録済みのテレビチャンネルがあるか否かを決定する。ある場合、ステップ５６０で、第２の画面装置は、その選択されていない登録済みのテレビチャンネルに関連付けられたイベントメッセージを受信し、表示する。ない場合、ステップ５５０で、第２の画面装置は、現時点で表示可能な登録済みのチャンネルに関連付けられたイベントメッセージはないことを示すメッセージを提供する。
【００３５】
一実施形態において、第２の画面装置は、選択済みのテレビチャンネルのＩＤをメッセージサーバに送信し、次に、適切なイベントメッセージを受信するが、本原理は、第２の画面装置がイベントメッセージを受信し、そのメッセージを表示するために適切にフィルタリングするシステムにおいて具体化されてもよい。
【００３６】
あるいは、システムは、第２の画面装置が登録済みの利用可能なチャンネルに関連付けられた全てのイベントメッセージを受信するように構成されてもよい。第２の画面装置は、その後、選択したチャンネルがメインディスプレイ装置に表示されている間、受信したメッセージのうち選択されていない登録済みのチャンネルに関連付けられたメッセージのみを表示するように、イベントメッセージをフィルタリングする。
【００３７】
あるいは、システムは、ユーザが利用可能なチャンネルに関連付けられた全てのイベントメッセージを第２の画面装置が受信するように構成されてもよい。第２の画面装置は、その後、選択したチャンネルがメインディスプレイ装置に表示されている間、受信したメッセージのうち選択されていない登録済みのチャンネルに関連付けられたメッセージのみを表示するように、イベントメッセージをフィルタリングする。
【００３８】
さらに、第２の画面装置が選択されていない登録済みのチャンネルの全てに関連付けられたイベントメッセージの表示を開始すると、そのリストからチャンネルをさらに選択し、このさらに選択したチャンネルに関連付けられたイベントメッセージのみを表示するオプションを、ユーザに提供してもよい。
【００３９】
さらに、第２の画面装置は、ステップ５７０に示すように、テレビ受信装置を制御するリモートコントロール装置として用いられてもよい。例えば、第２の画面装置は、ＩＲまたはＲＦ送信機を含んでもよく、また、ユーザが、例えば、第２の画面装置を用いてテレビチャンネルを変更できるように、テレビ受信装置に関連付けられたリモートコントロールコードをインターネットまたは他の適切なネットワークを介して取得および記憶可能であってもよい。一実施形態においては、第２の画面装置は、選択されていない登録済みのテレビチャンネルのイベントメッセージを、そのメッセージの隣に各アイコンと共に表示し、ここで、ユーザがアイコンを選択すると、第２の画面装置が、チャンネル変更コマンドをテレビ受信機に送信する。
【００４０】
ユーザが、選択したテレビチャンネルを変更すると、アプリケーションは、例えば、第２の画面装置へのユーザ入力、または、オーディオフィンガプリントの解析によって、自動的に、そのチャンネル変更を認識し、イベントメッセージの表示を変更する。具体的には、第２の画面ディスプレイは、新しく選択されたテレビチャンネルに関連付けられたイベントメッセージをもはや表示せず、以前に選択したテレビチャンネルに関連付けられたイベントメッセージを、他の選択されていないテレビチャンネルのイベントメッセージと共に、表示し始める。このように、第２の画面装置によって、ユーザは、他の選択されていない登録済みのテレビチャンネルの全てに関連付けられたイベントメッセージを独りでモニタすることができる。一実施形態においては、第２の画面装置は、ステップ５８０で、新しく選択したチャンネルのＩＤをメッセージサーバに送信し、ステップ５６０で、適切なイベントメッセージを受信して、この適切なイベントメッセージを表示する。ここでも、イベントメッセージの受信、フィルタリングおよび表示は、上記の代替の方法を用いて行うことができる。
【００４１】
本原理の例示の実施形態を記載してきたが、代替の実施形態が可能であり、上記の教示を考慮して、当業者が代替の実施形態を検討することは明らかである。ユーザが特定の視聴状況または視聴時間に適した登録アカウントを容易に選択できるように、複数の登録アカウントをアプリケーション内に登録してもよい。ユーザが、その時々に、関心のある主題を有するチャンネルをモニタできるように、例えば、１つの登録アカウントは、スポーツチャンネルを含んでもよく、別の登録アカウントはニュースチャンネルを含んでもよい。さらに、登録済みのテレビチャンネルが、例えば、子供番組など、ある視聴者にだけ適しているように、登録アカウントは、特定の個人に結び付けられてもよい。登録アカウントは、指定したテレビチャンネルのみが、ある登録チャンネル内に含まれるように、管理権限を有する人によって制御されてもよく、登録リストの修正は、マネージャの許可がある場合にのみ行うことができる。アプリケーションによって、登録チャンネルを他のユーザと、例えば、ソーシャルネットワークを介して交換可能にしてもよい。ある実施形態においては、アプリケーションは、あるチャンネルを登録に含むように推薦するユーザの友人による通知を受信してもよい。その推薦を受諾することによって、アプリケーションは、推薦されたチャンネルをユーザ登録リストに自動的に追加する。
【００４２】
本明細書に記載の全ての例および条件を表す用語は、本発明の原理、および、技術の促進に対して発明者が寄与した概念を理解するための読解を助ける目的で使われており、これらの具体的に記載した例および条件に限定されることなく解釈されるべきである。
【００４３】
さらに、本明細書において、本原理の原理、態様および実施形態を記載する全ての記述、並びに、それらの具体的な例は、それらの構造的および機能的な同等物を含むことを意図している。さらに、このような同等物は、現在知られている同等物、並びに将来開発される同等物の両方、すなわち、構造にかかわらず、同じ機能を実行する開発される任意の要素を含むことを意図している。
【００４４】
従って、例えば、本明細書に記載されたブロック図は、本原理を具体化する実例としての回路の概念図を表していることを当業者は理解されよう。同様に、フローチャート、フロー図、状態遷移図、疑似コードなどはいずれも、様々なプロセス、すなわち、コンピュータ可読媒体で実質的に表されてもよく、従って、コンピュータまたはプロセッサが図示されているか否かに関わらず、コンピュータまたはプロセッサによって実行することができる種々のプロセスを表すことを理解されよう。
【００４５】
図に示される様々な要素の機能は、専用のハードウェア、および、適切なソフトウェアと共同してソフトウェアを実行することができるハードウェアを使用して、提供されてもよい。その機能をプロセッサが提供する場合、単一の専用プロセッサによって、単一の共有プロセッサによって、または、複数の個別のプロセッサであって、それらの一部は共有されてもよいプロセッサによって提供されてもよい。さらに、用語「プロセッサ」または「コントローラ」の明示的な使用は、ソフトウェアを実行できるハードウェアだけを指していると解釈するべきではなく、デジタル信号プロセッサ（「ＤＳＰ」）ハードウェア、ソフトウェアを記憶するためのリードオンリメモリ（「ＲＯＭ」）、ランダムアクセスメモリ（「ＲＡＭ」）、および、不揮発性記憶装置を暗に含んでもよく、それらに限定されない。
【００４６】
他の従来のハードウェアおよび／またはカスタムハードウェアも含まれてもよい。同様に、図に記載されている切り替えはいずれも概念的なものである。その機能は、プログラム論理演算を通して、専用論理を通して、プログラム制御および専用論理の相互作用を通して、または手動で行われてもよく、実装者が選択可能な個々の技術は、文脈からより詳細に理解される。
【００４７】
請求項においては、特定の機能を行う手段として表されている要素はいずれも、その機能を行う任意の方法を含むことを意図しており、例えば、ａ）その機能を行う回路要素の組み合わせ、または、ｂ）そのソフトウェアを実行するための適切な回路と組み合わせたファームウェア、マイクロコード等を含む任意の形式のソフトウェアが含まれる。請求項によって規定される本原理は、様々な記載の手段が提供する機能は、請求項が求める方法で組み合わされ、まとめられるという事実にある。従って、それらの機能を提供できる手段はいずれも、ここに記載の手段と同等であるとみなされる。
【００４８】
本原理の「一実施形態」または「ある実施形態」という明細書における記載、並びに、それらを変形した記載は、実施形態との関連で記載された特定の特徴、構造、特性などは、本原理の少なくとも１つの実施形態に含まれることを意味する。従って、「一実施形態において」または「ある実施形態において」という句の出現、または、明細書の様々な箇所に現れる、それらの句の変形は、必ずしも、全てが同じ実施形態を指すわけではない。
【００４９】
本原理は、ハードウェア、ソフトウェア、ファームウェア、特定用途プロセッサ、または、それらの組み合わせという様々な形で実装することができることを理解すべきである。本原理は、ハードウェアとソフトウェアとの組み合わせとして実装されるのが好ましい。さらに、ソフトウェアは、プログラム記憶装置上で有形に実現されるアプリケーションプログラムとして実装されるのが好ましい。アプリケーションプログラムは、任意の適切なアーキテクチャを有する機械にアップロードされ、その機械によって実行されてもよい。機械は、１つまたは複数の中央処理装置（ＣＰＵ）、ランダムアクセスメモリ（ＲＡＭ）、および、入出力（Ｉ／Ｏ）インタフェース（１つまたは複数）等のハードウェアを有するコンピュータプラットフォームで実装されるのが好ましい。コンピュータプラットフォームは、オペレーティングシステムおよびマイクロ命令コードも含む。ここに記載の様々なプロセスおよび機能は、オペレーティングシステムを介して実行されるマイクロ命令コードの一部、または、アプリケーションプログラムの一部（またはそれらの組み合わせ）であってもよい。さらに、追加のデータ記憶装置および印刷装置等の様々な他の周辺装置が、コンピュータプラットフォームに接続されてもよい。
【００５０】
添付の図面に記載のシステムを構成するコンポーネントおよび方法のステップの一部は、ソフトウェアで実装されるのが好ましいので、システムのコンポーネント（または、プロセスのステップ）間の実際の接続は、本原理をプログラムする方法に応じて異なってもよいことも理解されたい。ここに記載の教示を踏まえて、当業者は、本原理のこれらの実装形態や構成および同様の実装形態や構成を検討することができるであろう。 
本原理の基本的な新しい特徴を図示し、記載し、指摘したが、記載した方法や図示した装置の形式および詳細、並びに、それらの動作における様々な省略、代替および変更を、本原理の精神を逸脱することなく、当業者が行ってもよいことは理解されよう。例えば、実質的に同じ方法で実質的に同じ機能を行って同じ結果を達成する、これらの要素および／または方法のステップの組み合わせは全て、本原理の範囲内であることを明記する。さらに、本原理の開示の形式または実装形態のいずれかと関連して、図示および／または記載した、構造および／または要素および／または方法のステップは、任意の他の開示、記載または提案した形式または実装形態に、一般的な設計の選択事項として組み込まれてもよいとみなされるべきである。従って、請求項の範囲が示すところによってのみ限定される。
【図１】
2016506166.tif 000006
【図２】
2016506166.tif 000007
【図３】
2016506166.tif 000008
【図４】
2016506166.tif 000009
【図５】
2016506166.tif 000010
【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
１つまたは複数のテレビチャンネルに関連付けられたイベントメッセージを受信するために登録するステップと、
受信され表示されている現在のテレビチャンネルを判断するステップと、
前記現在のテレビチャンネル以外の登録済みのテレビチャンネルに関連付けられたイベントメッセージを受信し表示するステップであって、前記イベントメッセージは、前記現在のテレビチャンネルを表示する画面以外のディスプレイ画面に表示される、受信し表示するステップと、
を含む、イベントメッセージを表示する方法。
【請求項２】
前記受信し表示するステップは、前記テレビチャンネルに関連付けられた送信チャンネルとは別の送信チャンネルを介して、前記イベントメッセージを受信するステップを含む、請求項１に記載の方法。
【請求項３】
前記登録するステップは、各登録リストが登録済みのテレビチャンネルのリストを含む複数の登録リストから１つを選択するステップを含む、請求項１に記載の方法。
【請求項４】
前記登録するステップは、ソーシャルネットワークにおいて友人が推薦する登録済みのテレビチャンネルのリストを含む登録リストを受諾するステップを含む、請求項１に記載の方法。
【請求項５】
前記登録するステップは、登録に関して可能なテレビチャンネルのリストを表示するステップと、前記可能なテレビチャンネルのうちの選択したチャンネルのユーザによる入力を受信するステップと、前記可能なテレビチャンネルのうちの前記ユーザが選択したチャンネルをメッセージサーバに送信するステップと、を含む、請求項１に記載の方法。
【請求項６】
前記判断するステップは、前記現在のテレビチャンネルのインジケーションをテレビ受信機から受信するステップを含む、請求項５に記載の方法。
【請求項７】
前記判断するステップは、前記現在のテレビチャンネルの番組のオーディオ署名を用いて、前記現在のテレビチャンネルを判断するステップを含む、請求項５に記載の方法。
【請求項８】
前記受信し表示するステップは、前記現在のテレビチャンネルで送信されている現在の番組イベントを示すリアルタイムのイベントメッセージを受信し表示するステップを含む、請求項５に記載の方法。
【請求項９】
前記イベントメッセージを受信し表示するステップは、スマートフォン、タブレットコンピュータおよびリモートコントロール装置のうちの１つで行われる、請求項５に記載の方法。
【請求項１０】
前記現在のテレビチャンネル以外の前記登録済みのテレビチャンネルの選択を可能にするユーザ入力表示を提供するステップと、これらのチャンネルのうちの１つを選択すると、テレビ受信機に前記選択したテレビチャンネルを受信させ処理させる制御信号を送信するステップと、をさらに含む、請求項５に記載の方法。
【請求項１１】
前記受信し表示するステップは、前記テレビチャンネルに関連付けられた放送局、イベントメッセージ作成エンティティおよびソーシャルネットワークの１つから前記イベントメッセージを受信するステップを含む、請求項５に記載の方法。
【請求項１２】
イベントメッセージを表示する装置であって、
別のテレビ受信機およびディスプレイによって受信され表示されている現在のテレビチャンネルを判断する手段と、
１つまたは複数のテレビチャンネルに関連付けられたイベントメッセージを受信するために登録する手段と、
前記現在のテレビチャンネル以外の登録済みのテレビチャンネルに関連付けられたイベントメッセージを受信し表示する手段と、
を含む、前記装置。
【請求項１３】
前記受信し表示する手段は、前記テレビチャンネルに関連付けられた送信チャンネルとは別の送信チャンネルを介して前記イベントメッセージを受信する、請求項１２に記載の装置。
【請求項１４】
前記登録する手段は、各登録リストが登録済みのテレビチャンネルのリストを含む複数の登録リストを表示し、前記複数の登録リストの１つのユーザ選択を受信する手段を含む、請求項１２に記載の装置。
【請求項１５】
前記登録する手段は、ソーシャルネットワークで友人が推薦した登録済みのテレビチャンネルのリストを含む登録リストを受諾する手段を含む、請求項１２に記載の装置。
【請求項１６】
前記登録する手段は、登録に関して可能なテレビチャンネルのリストを表示し、前記可能なテレビチャンネルのうち選択したチャンネルのユーザによる入力を受信し、前記可能なテレビチャンネルのうち前記ユーザが選択したチャンネルをメッセージサーバに送信する手段を含む、請求項１２に記載の装置。 
【請求項１７】
前記判断する手段は、前記現在のテレビチャンネルのインジケーションをテレビ受信機から受信する、請求項１６に記載の装置。
【請求項１８】
前記判断する手段は、前記現在のテレビチャンネルの番組のオーディオ署名を用いることにより前記現在のテレビチャンネルを判断する、請求項１６に記載の装置。
【請求項１９】
前記装置は、スマートフォン、タブレットコンピュータおよびリモートコントロール装置の１つを含む、請求項１６に記載の装置。
【請求項２０】
前記受信し表示する手段は、前記テレビチャンネルに関連付けられた放送局、イベントメッセージ作成エンティティおよびソーシャルネットワークの１つから前記イベントメッセージを受信する手段を含む、請求項１６に記載の装置。
【手続補正２】
【補正対象書類名】明細書
【補正対象項目名】０００３
【補正方法】変更
【補正の内容】
【０００３】
一実装形態において、本原理は、１つまたは複数のテレビチャンネルに関連付けられたイベントメッセージの受信を登録するステップと、受信および処理中の現在のテレビチャンネルを判断するステップと、現在のテレビチャンネル以外の登録済みのテレビチャンネルに関連付けられたイベントメッセージを受信し表示するステップと、を含み、そのイベントメッセージは、上記現在のテレビチャンネルを表示する画面とは別のディスプレイ画面に表示される、イベントメッセージを表示する方法を提供する。イベントメッセージは、テレビチャンネルと関連付けられた送信チャンネルとは別の送信チャンネルを介して受信されてもよい。受信中の現在のテレビチャンネルは、テレビ受信機からディスプレイ画面に送信されるＩＤによって判断してもよく、オーディオフィンガプリンティングを用いて判断してもよい。受信および処理中の現在のチャンネル以外の登録済みテレビチャンネルに関連するイベントメッセージを第２のディスプレイ画面に表示することによって、ユーザは、番組の表示とは別にイベントメッセージを受信および視聴することができる。現在のチャンネルを新しく選択したチャンネルに変更すると、システムは、現在のイベントメッセージの表示が、新しく選択したチャンネルに基づくように、イベントメッセージのリストを変更する、すなわち、システムは、新しく選択したチャンネル以外の登録済みのチャンネルに関連付けられたイベントメッセージを表示する。
【手続補正３】
【補正対象書類名】明細書
【補正対象項目名】００１３
【補正方法】変更
【補正の内容】
【００１３】
その後、視聴者は、特定のＴＶチャンネルに関するイベントメッセージだけを見るために、そのＴＶチャンネル名をクリックしてもよい。例えば、視聴者が表１に示すインタフェースで「ＴＶチャンネル名１」をクリックすると、イベントメッセージアプリケーションは、下記の表２に示すイベントメッセージを示す。
【手続補正４】
【補正対象書類名】明細書
【補正対象項目名】００１５
【補正方法】変更
【補正の内容】
【００１５】
そして、ユーザが表２に示すインタフェースで「ＴＶチャンネル名１」ボタンを再度クリックすると、アプリケーションは、外部の赤外線インタフェースまたは無線ネットワーク接続によって、ＴＶチャンネル１に切り替えるように、ＳＴＢに指示する。現在視聴中のチャンネルがＴＶチャンネル１に成功裏に切り替わったことをイベントメッセージアプリケーションが検知するとすぐに、表３のように、ＴＶチャンネル１に関するメッセージ以外の全ての登録済みのイベントメッセージの表示を開始する。（ユーザがＴＶチャンネル１、２および３のイベントメッセージの登録をしており、現在視聴中のチャンネルがＴＶチャンネル１の場合）
【手続補正５】
【補正対象書類名】明細書
【補正対象項目名】００２６
【補正方法】変更
【補正の内容】
【００２６】
コントローラ２１４は、入力ストリームプロセッサ２０４、オーディオプロセッサ２０６、ビデオプロセッサ２１０、記憶装置２１２、ユーザインタフェース２１６を含む、受信装置２００のコンポーネントの幾つかとバスを介して相互に接続される。コントローラ２１４は、入力ストリーム信号を、記憶装置への記憶、または表示のための信号に変換する変換プロセスを管理する。コントローラ２１４は、記憶されたコンテンツの読み出しおよび再生も管理する。さらに、以下に記載するように、コントローラ２１４は、コンテンツを、上記のように記憶されたものであっても、配信ネットワークを介して配信されたものであっても、検索し、コンテンツを表すグリッド表示を作成し調整する。
【手続補正６】
【補正対象書類名】明細書
【補正対象項目名】００３３
【補正方法】変更
【補正の内容】
【００３３】
図５は、ユーザが登録をしたチャンネルのイベントメッセージを表示するための典型的なステップを示すフローチャートである。ステップ５００で開始すると、ステップ５２０で、アプリケーションは、最初に、メインディスプレイ装置に現在、どのチャンネルを受信、処理および表示しているかを判断する。第２の画面装置は、例えば、表示中のテレビ番組のオーディオフィンガプリントを解析することによって、表示を選択したチャンネルのユーザ入力を受信することによって、または、第２の画面装置を用いて行われたチャンネル選択の履歴の記録に基づいて、現在のチャンネルを判断してもよい。あるいは、第２の画面装置は、テレビ受信機が選択したチャンネルを示す情報を第２の画面装置に送信するように構成されている場合、選択したチャンネルを示す情報をテレビ受信機から直接受信してもよい。ステップ５２０で、第２の画面装置は、現在選択されているテレビチャンネルを判断すると、現在選択しているテレビチャンネルに関連するＩＤをメッセージサーバに送信する。
【手続補正７】
【補正対象書類名】明細書
【補正対象項目名】００４０
【補正方法】変更
【補正の内容】
【００４０】
ユーザが、選択したテレビチャンネルを変更すると、アプリケーションは、例えば、第２の画面装置へのユーザ入力、または、オーディオフィンガプリントの解析によって、自動的に、そのチャンネル変更を認識し、イベントメッセージの表示を変更する。具体的には、第２の画面装置は、新しく選択されたテレビチャンネルに関連付けられたイベントメッセージをもはや表示せず、以前に選択したテレビチャンネルに関連付けられたイベントメッセージを、他の選択されていないテレビチャンネルのイベントメッセージと共に、表示し始める。このように、第２の画面装置によって、ユーザは、他の選択されていない登録済みのテレビチャンネルの全てに関連付けられたイベントメッセージを独りでモニタすることができる。一実施形態においては、第２の画面装置は、ステップ５８０で、新しく選択したチャンネルのＩＤをメッセージサーバに送信し、ステップ５６０で、適切なイベントメッセージを受信して、この適切なイベントメッセージを表示する。ここでも、イベントメッセージの受信、フィルタリングおよび表示は、上記の代替の方法を用いて行うことができる。
【手続補正８】
【補正対象書類名】明細書
【補正対象項目名】００５０
【補正方法】変更
【補正の内容】
【００５０】
添付の図面に記載のシステムを構成するコンポーネントおよび方法のステップの一部は、ソフトウェアで実装されるのが好ましいので、システムのコンポーネント（または、プロセスのステップ）間の実際の接続は、本原理をプログラムする方法に応じて異なってもよいことも理解されたい。ここに記載の教示を踏まえて、当業者は、本原理のこれらの実装形態や構成および同様の実装形態や構成を検討することができるであろう。 
本原理の基本的な新しい特徴を図示し、記載し、指摘したが、記載した方法や図示した装置の形式および詳細、並びに、それらの動作における様々な省略、代替および変更を、本原理の精神を逸脱することなく、当業者が行ってもよいことは理解されよう。例えば、実質的に同じ方法で実質的に同じ機能を行って同じ結果を達成する、これらの要素および／または方法のステップの組み合わせは全て、本原理の範囲内であることを明記する。さらに、本原理の開示の形式または実装形態のいずれかと関連して、図示および／または記載した、構造および／または要素および／または方法のステップは、任意の他の開示、記載または提案した形式または実装形態に、一般的な設計の選択事項として組み込まれてもよいとみなされるべきである。従って、請求項の範囲が示すところによってのみ限定される。
本発明は以下の態様を含む。
（付記１）
１つまたは複数のテレビチャンネルに関連付けられたイベントメッセージの受信を登録するステップと、
受信および表示中の現在のテレビチャンネルを判断するステップと、
前記現在のテレビチャンネル以外の登録済みのテレビチャンネルに関連付けられたイベントメッセージであって、前記現在のテレビチャンネルを表示する画面以外のディスプレイ画面に表示するイベントメッセージを、受信し表示するステップと、
を含む、イベントメッセージを表示する方法。
（付記２）
前記受信し表示するステップは、前記テレビチャンネルに関連付けられた送信チャンネルとは別の送信チャンネルを介して、前記イベントメッセージを受信するステップを含む、付記１に記載の方法。
（付記３）
前記登録するステップは、各登録リストが登録済みのテレビチャンネルのリストを含む複数の登録リストから１つを選択することを含む、付記１に記載の方法。
（付記４）
前記登録するステップは、ソーシャルネットワークにおいて友人が推薦する登録済みのテレビチャンネルのリストを含む登録リストを受諾することを含む、付記１に記載の方法。
（付記５）
前記登録するステップは、登録可能なテレビチャンネルのリストを表示することと、前記可能なテレビチャンネルのうちの選択したチャンネルのユーザ入力を受信することと、前記可能なテレビチャンネルのうちの前記ユーザが選択したチャンネルをメッセージサーバに送信することと、を含む、付記１に記載の方法。
（付記６）
前記判断するステップは、前記現在のテレビチャンネルのインジケーションをテレビ受信機から受信することを含む、付記５に記載の方法。
（付記７）
前記判断するステップは、前記現在のテレビチャンネルの番組のオーディオ署名を用いて、前記現在のテレビチャンネルを判断することを含む、付記５に記載の方法。
（付記８）
前記受信し表示するステップは、前記現在のテレビチャンネルで送信されている現在の番組イベントを示すリアルタイムのイベントメッセージを受信し表示することを含む、付記５に記載の方法。
（付記９）
前記イベントメッセージを受信、表示するステップは、スマートフォン、タブレットコンピュータおよびリモートコントロール装置のうちの１つで行われる、付記５に記載の方法。
（付記１０）
前記現在のテレビチャンネル以外の前記登録済みのテレビチャンネルの選択を可能にするユーザ入力表示を提供することと、これらのチャンネルのうちの１つを選択すると、テレビ受信機に前記選択したテレビチャンネルを受信させ処理させる制御信号を送信することと、をさらに含む、付記５に記載の方法。
（付記１１）
前記受信し表示するステップは、前記テレビチャンネルに関連付けられた放送局、イベントメッセージ作成エンティティおよびソーシャルネットワークの１つから前記イベントメッセージを受信することを含む、付記５に記載の方法。
（付記１２）
イベントメッセージを表示する装置であって、
別のテレビ受信機およびディスプレイによって受信され表示されている現在のテレビチャンネルを判断する手段と、
１つまたは複数のテレビチャンネルに関連付けられたイベントメッセージの受信を登録する手段と、
前記現在のテレビチャンネル以外の登録済みのテレビチャンネルに関連付けられたイベントメッセージを受信し表示する手段と、
を含む装置。
（付記１３）
前記受信し表示する手段は、前記テレビチャンネルに関連付けられた送信チャンネルとは別の送信チャンネルを介して前記イベントメッセージを受信する、付記１２に記載の装置。
（付記１４）
前記登録する手段は、各登録リストが登録済みのテレビチャンネルのリストを含む複数の登録リストを表示し、前記複数の登録リストの１つのユーザ選択を受信する手段を含む、付記１２に記載の装置。
（付記１５）
前記登録する手段は、ソーシャルネットワークで友人が推薦した登録済みのテレビチャンネルのリストを含む登録リストを受諾する手段を含む、付記１２に記載の装置。
（付記１６）
前記登録する手段は、登録可能なテレビチャンネルのリストを表示し、前記可能なテレビチャンネルのうち選択したチャンネルのユーザ入力を受信し、前記可能なテレビチャンネルのうち前記ユーザが選択したチャンネルをメッセージサーバに送信する手段を含む、付記１２に記載の装置。 
（付記１７）
前記判断する手段は、前記現在のテレビチャンネルのインジケーションをテレビ受信機から受信する、付記１６に記載の装置。
（付記１８）
前記判断する手段は、前記現在のテレビチャンネルの番組のオーディオ署名を用いて前記現在のテレビチャンネルを判断することによって、前記現在のテレビチャンネルを判断する、付記１６に記載の装置。
（付記１９）
前記装置は、スマートフォン、タブレットコンピュータおよびリモートコントロール装置の１つを含む、付記１６に記載の装置。
（付記２０）
前記受信手段は、前記テレビチャンネルに関連付けられた放送局、イベントメッセージ作成エンティティおよびソーシャルネットワークの１つから前記イベントメッセージを受信する手段を含む、付記１６に記載の装置。
【国際調査報告】
2016506166.tif 000011
2016506166.tif 000012